(57)【要約】【課題】斜め押しされた場合でも確実に操作することができる押釦スイッチを提供する。【解決手段】押釦スイッチ１００では、ドーム状に形成された膨出部１ａを備える可動接点部材１と、可動接点部材１を収容する収容部２ａとともに、可動接点部材１と接触する固定接点部材３とを有するハウジング２と、ハウジング２の上面２ｂ側に貼り付けされるとともに、外部から押圧される押し子４ａを有するシート４とを有し、ハウジング２を上方から平面視したときに、ハウジング２の外形形状が略長方形状である押釦スイッチにおいて、ハウジング２の外形形状を形成する４つの辺の、対向して配置された２辺の組の少なくとも一方の組の延在する方向において、ハウジング２の上面２ｂの少なくとも一部は、その両端部のハウジング２の底面からハウジング２の上面２ｂまでの高さが、中央部の高さよりも低くなるように形成されている、構成とした。【選択図】図２
2014013672.tif 000002
【特許請求の範囲】
【請求項１】
ドーム状に形成された膨出部を備える可動接点部材と、該可動接点部材を収容する収容部とともに、前記可動接点部材と接触する固定接点部材とを有するハウジングと、該ハウジングの上面側に貼り付けされるとともに、外部から押圧される押し子を有するシートとを有し、前記ハウジングを上方から平面視したときに、前記ハウジングの外形形状が略長方形状である押釦スイッチにおいて、
前記ハウジングの外形形状を形成する４つの辺の、対向して配置された２辺の組の少なくとも一方の組の延在する方向において、前記ハウジングの上面の少なくとも一部は、その両端部の底面から前記ハウジングの上面までの高さが、中央部の高さよりも低くなるように形成されていることを特徴とする押釦スイッチ。
【請求項２】
前記一方の組の辺である長手辺は互いに同じ形状で同じ高さに形成されており、
前記ハウジングの上面側に形成され、前記シートが貼付される貼付面は、前記長手辺同士の間を繋ぐことにより形成される仮想面に沿って形成されており、
前記ハウジングの上面の高さは、前記仮想面以下の高さに形成されている、ことを特徴とする請求項１に記載の押釦スイッチ。
【請求項３】
前記長手辺の形状は、曲率半径が一定の弧である、ことを特徴とする請求項２に記載の押釦スイッチ。
【請求項４】
前記可動接点部材は、上方から平面視したときに長細形状であり、
前記可動接点部材は、前記可動接点部材の長手辺が延出する方向と前記ハウジングの長手辺が延出する方向とが略一致する向きに配置されるとともに、
前記ハウジングの長手辺の中央部に対応して前記膨出部の頂点部が前記ハウジングの長手辺側の側方から見て一致する位置に配置されていることを特徴とする請求項１ないし請求項３のいずれかに記載の押釦スイッチ。
【発明の詳細な説明】
【技術分野】
【０００１】
本発明は、押釦スイッチに関し、特に、斜め押しされた場合でも確実に操作することができる押釦スイッチに関するものである。
【背景技術】
【０００２】
昨今、押圧部材を用いて操作される押釦スイッチもある。押圧部材を用いて操作した場合に、押圧の仕方によっては押圧部材が傾いてしまい、斜め押しされることもある。そのため、押圧部材を用いて斜め押しされた場合であっても、確実に操作することができる押釦スイッチが求められている。
【０００３】
押釦スイッチとしては、下記の特許文献１に記載の押釦スイッチ９００が知られている。以下、図７ないし図９を用いて、特許文献１に記載の押釦スイッチについて説明する。図７は、特許文献１に記載の押釦スイッチ９００の構成を示す分解斜視図である。図８は、特許文献１に記載の押釦スイッチ９００の構成を示す断面図である。図９は、押釦スイッチ９００が斜め押しされた状態を示す図であり、図９（ａ）は押釦スイッチ９００の上面の平面方向における寸法が小さい方向に傾いて斜め押しされた状態を示す図であり、図９（ｂ）は押釦スイッチ９００の上面の平面方向における寸法が大きい方向に傾いて斜め押しされた状態を示す図である。
【０００４】
特許文献１に記載の押釦スイッチ９００は、図７および図８に示すように、開口部９１０ａの内底面に中央接点部材９２０と外側接点部材９３０とを備えた基体９１０と、円形ドーム状に形成された弾性金属薄板からなる可動接点部材９４０と、可撓性を備えた絶縁フィルム製のカバーシート９５０と、を有している。可動接点部材９４０は、基体９１０の開口部９１０ａの内部に配置される。このとき、可動接点部材９４０の外周部は外側接点部材９３０の上に配置され、可動接点部材９４０と外側接点部材９３０とは電気的に導通するとともに、可動接点部材９４０は押圧することで中央接点部材９２０と電気的に導通可能な位置に配置されている。開口部９１０ａ内に可動接点部材９４０が配置された基体９１０の上面に、カバーシート９５０が固定されることで、押釦スイッチ９００が形成される。また、押釦スイッチ９００は、図８に示すような、押圧部材ｐｐを用いて、カバーシート９５０の押し子９５０ａが押圧されることで機能する。
【先行技術文献】
【特許文献】
【０００５】
【特許文献１】特開２０１１−２４３４７６号公報
【発明の概要】
【発明が解決しようとする課題】
【０００６】
押圧部材ｐｐとしては、図８に示すような、板状に形成され、一方の面に操作者が押圧を行なう突起部ｌｉを備えた形状のものが用いられることが多く、突起部ｌｉの裏面側が押し子９５０ａに対応して配置される。しかしながら、例えば、突起部ｌｉおよび押し子９５０ａを平面視した時に、押圧部材ｐｐの突起部ｌｉの面積が押釦スイッチ９００の押し子９５０ａの面積よりも大きい時、突起部ｌｉの周縁部付近を押圧操作されると、押圧部材ｐｐは押し子９５０ａの周縁部を支点として傾くことがある。仮に、押圧部材ｐｐが傾いた状態で操作された場合、押釦スイッチ９００の上面の平面方向における寸法が小さい箇所では、図９（ａ）に示すように、押圧部材ｐｐと押釦スイッチ９００とは押し子９５０ａ以外の箇所で接触し難いが、押釦スイッチ９００の上面の平面方向における寸法が大きい箇所では、図９（ｂ）に示すように、押釦スイッチ９００の操作が終る前に、押圧部材ｐｐが押釦スイッチ９００の押し子９５０ａ以外の箇所に接触してしまい、操作しにくく、場合によっては操作できなくなることが懸念される。
【０００７】
本発明は、上述した課題を解決して、斜め押しされた場合でも確実に操作することができる押釦スイッチを提供するものである。
【課題を解決するための手段】
【０００８】
請求項１に記載の押釦スイッチは、ドーム状に形成された膨出部を備える可動接点部材と、該可動接点部材を収容する収容部とともに、前記可動接点部材と接触する固定接点部材とを有するハウジングと、該ハウジングの上面側に貼り付けされるとともに、外部から押圧される押し子を有するシートとを有し、前記ハウジングを上方から平面視したときに、前記ハウジングの外形形状が略長方形状である押釦スイッチにおいて、前記ハウジングの外形形状を形成する４つの辺の、対向して配置された２辺の組の少なくとも一方の組の延在する方向において、前記ハウジングの上面の少なくとも一部は、その両端部の底面から前記ハウジングの上面までの高さが、中央部の高さよりも低くなるように形成されている、という特徴を有する。
【０００９】
請求項２に記載の押釦スイッチは、前記一方の組の辺である長手辺は互いに同じ形状で同じ高さに形成されており、前記ハウジングの上面に形成され、前記シートが貼付される貼付面は、前記長手辺同士の間を繋ぐことにより形成される仮想面に沿って形成されており、前記ハウジングの上面の高さは、前記仮想面以下の高さに形成されている、という特徴を有する。
【００１０】
請求項３に記載の押釦スイッチは、前記長手辺の形状は、曲率半径が一定の弧である、という特徴を有する。
【００１１】
請求項４に記載の押釦スイッチは、前記可動接点部材は、上方から平面視したときに長細形状であり、前記可動接点部材は、前記可動接点部材の長手辺が延出する方向と前記ハウジングの長手辺が延出する方向とが略一致する向きに配置されるとともに、前記ハウジングの長手辺の中央部に対応して前記膨出部の頂点部が前記ハウジングの長手辺側の側方から見て一致する位置に配置されている、という特徴を有する。
【発明の効果】
【００１２】
請求項１の発明によれば、少なくともハウジングの短手辺が配置された方向、またはハウジングの長手辺が配置された方向においては、辺の両端部でのハウジングの底面からハウジングの上面までの高さが、辺の中央部よりも低くなるように形成されている。そのため、仮に、押釦スイッチが取り付けられた電子機器の押圧部材が、斜めになった状態で押釦スイッチを押圧操作した場合でも、押圧部材が押釦スイッチの押し子以外の箇所に接触し難くなり、操作性の悪化を防止し、確実に操作することができる押釦スイッチを提供することができる、という効果を奏する。
【００１３】
請求項２の発明によれば、短手方向に比べて、斜めになった押圧部材がより接触しやすい長手方向においてのみ、長手辺の両端部でのハウジングの底面からハウジングの上面までの高さを、長手辺の中央部よりも低くなるように形成することで、長手方向に対応する押圧部材の外周端部は、中央部よりも低くなった箇所に逃げることができ、ハウジングに接触し難くなっている。また、シートが貼付される貼付面を、長手辺同士の間を繋ぐことにより形成される仮想面と同一面に形成するとともに、ハウジングの上面の高さを仮想面以下の高さに形成することで、仮想面より上に突出するものがないため、ハウジングに接触し難くなっている。さらに、貼付面の凹凸が小さくなり、仮想面より上に突出するものがないため、シートの貼り付けが容易になる。したがって、従来よりも押圧部材がハウジングに接触し難く、シートの貼付が容易な押釦スイッチを提供することができる、という効果を奏する。
【００１４】
請求項３の発明によれば、ハウジングの上面に形成された貼付面を凹形状のない曲面に形成することで、シートの貼り付けが、従来技術と同等に容易に行なえるとともに、シートは、貼付面全体で、より確実に保持され、小型化した場合でもシートが剥がれ難くなる、という効果を奏する。
【００１５】
請求項４の発明によれば、可動接点部材を、可動接点部材の長手辺が延出する方向とハウジングの長手辺が延出する方向とが略一致する向きに配置するとともに、可動接点部材において一番高さの高い箇所である膨出部の頂点部と、ハウジングにおいて一番高さの高い箇所である長手辺の中央部の位置とを、ハウジングの長手辺側の側方から見て一致するように配置するとともに、ハウジングの上面形状に沿うように可動接点部材を収納することで、より高さのある可動接点部材をハウジング内に収納することが可能となり、押釦スイッチを小型化した場合でも、操作ストロークを長くすることができる、という効果を奏する。
【００１６】
以上より、本発明によれば、斜め押しされた場合でも確実に操作することができる押釦スイッチを提供することができる。
【図面の簡単な説明】
【００１７】
【図１】第１実施形態における押釦スイッチ１００を示す図である。
【図２】押釦スイッチ１００の構成を示す分解斜視図である。
【図３】ハウジング２の外観を示す図である。
【図４】図１（ａ）に示す断面Ｉ−Ｉを表す断面図である。
【図５】ハウジング２の上面形状の変形例を示す側面図である。
【図６】貼付面２ｂの変形例を示す図である。
【図７】特許文献１に記載の押釦スイッチ９００の外観を示す斜視図である。
【図８】特許文献１に記載の押釦スイッチ９００の構成を示す分解斜視図である。
【図９】押釦スイッチ９００が斜め押しされた状態を示す図である。
【発明を実施するための形態】
【００１８】
［第１実施形態］
以下に第１実施形態における押釦スイッチ１００について説明する。
【００１９】
まず始めに本実施形態における押釦スイッチ１００の構成について図１ないし図３を用いて説明する。図１は第１実施形態における押釦スイッチ１００を示す図であり、図１（ａ）は押釦スイッチ１００の外観を示す斜視図であり、図１（ｂ）は押釦スイッチ１００を図１（ａ）に示すＺ１方向からみた状態を示す平面図である。図２は押釦スイッチ１００の構成を示す分解斜視図である。図３は可動接点部材１が配置されたハウジング２の外観を示す図であり、図３（ａ）はハウジング２を図１（ａ）に示すＺ１方向から見た側面図であり、図３（ｃ）はハウジング２を図１（ａ）に示すＹ２方向から見た平面図であり、図３（ｃ）はハウジング２を図１（ａ）に示すＸ２方向から見た側面図である。
【００２０】
押釦スイッチ１００は、図１に示すような外観であり、図２に示すように、ドーム状に形成された膨出部１ａを有する可動接点部材１と、可動接点部材１を収容する収容部２ａと可動接点部材１と接触する固定接点部材３とを有するハウジング２と、ハウジング２の収容部２ａを覆うとともに外部から押圧される押し子４ａを有するシート４と、を備えている。
【００２１】
可動接点部材１は、図２に示すように、金属薄板からなり、上方（Ｚ１方向）からの押圧操作により反転動作可能にドーム状に形成された膨出部１ａと、膨出部１ａの周囲に形成されるとともに、Ｚ１方向から平面視すると、外形形状が長細形状になるように形成された鍔部１ｂとを有する。
【００２２】
ハウジング２は、図２に示すように、合成樹脂材からなり、略直方体状に形成され、上方（Ｚ１方向）から平面視したときに、ハウジング２の外形形状が略長方形状である。ハウジング２には、可動接点部材１を収納可能な収容部２ａが、Ｚ１方向から平面視したときに略長方形状となる凹形状に形成されている。収容部２ａの内部底面には、固定接点部材３が内部底面から上方（Ｚ１方向）へ突出して設けられている。固定接点部材３は金属薄板からなり、収容部２ａの中央に設けられた第１固定接点部材部３ａと、第１固定接点部材部３ａを挟んで、収容部２ａのＸ１−Ｘ２方向の両端近傍に設けられた第２固定接点部材部３ｂとからなる。なお、第１固定接点部材部３ａと第２固定接点部材部３ｂとは電気的に導通していない。
【００２３】
また、ハウジング２は、押釦スイッチ１００として外部と電気的に接続可能とする、第１外部接続端子３ｃと第２外部接続端子３ｄとを有する。第１外部接続端子３ｃは、ハウジング２のＸ１−Ｘ２方向で対向する側面のＹ２方向側から、それぞれ１本ずつ突出して形成されている。第２外部接続端子３ｄは、ハウジング２のＸ１−Ｘ２方向で対向する側面のＹ１方向側から、それぞれ１本ずつ突出して形成されている。なお、第１固定接点部材部３ａと第１外部接続端子３ｃとは同一の金属板からなり電気的に導通しているとともに、第２固定接点部材部３ｂと第２外部接続端子３ｄとは同一の金属板からなり電気的に導通している。
【００２４】
また、図３（ａ）に示すように、ハウジング２を上方から平面視したときのハウジング２の外形形状を概略形成する長方形の４つの辺として、対向して配置された２本の長手辺ＬＥの組と、同じく対向して配置された２本の短手辺ＳＥの組がある。対向して配置された２辺の組の少なくとも一方の組の延在する方向において、ハウジング２の上面２ｂの少なくとも一部は、その両端部でのハウジング２の底面からハウジング２の上面２ｂまでの高さが、中央部の高さよりも低くなるように形成されている。なお、本実施形態においては、図３に示すように、長手辺ＬＥの組みにおいてのみ、長手辺ＬＥの両端部でのハウジング２の底面からハウジング２の上面２ｂまでの高さが、長手辺ＬＥの中央部よりも低くなるように形成されている。
【００２５】
ハウジング２の底面からハウジング２の上面２ｂまでの高さは、長手辺ＬＥの両端部において長手辺ＬＥの中央部よりも低くなるように形成されているとともに、ハウジング２を長手辺ＬＥ方向（Ｙ１方向またはＹ２方向）から見たときに、一組の長手辺ＬＥは互いに同じ形状で同じ高さに形成されている。なお、一組の長手辺ＬＥは、図３（ｂ）に示すように、曲率半径Ｒ０が一定の弧を描く仮想曲線ＶＣに沿って互いに同じ形状となるように形成されている。
【００２６】
また、ハウジング２の上面２ｂ側にはシート４が貼付される貼付面２ｃが形成されている。貼付面２ｃは、長手辺ＬＥ同士の間を繋ぐことで形成される仮想面ＶＦと同一面に形成されており、ハウジング２の上面２ｂの高さは、仮想面ＶＦの高さ以下に形成されている。
【００２７】
シート４は、図２に示すように、合成樹脂材からなり、シート状に形成されたカバー部４ｂと、カバー部４ｂの一方の面の中央部には押し子４ａがＺ１方向へ突出して設けられている。押し子４ａは、カバー部４ｂよりも硬い合成樹脂材からなり、Ｚ１方向から平面視すると略円形に形成されるとともに、頭頂部はカバー部４ｂの一方の面に平行な平面が形成され、接着剤などによりカバー部４ｂに固定されている。また、シート４のカバー部４ｂは、ハウジング２の収容部２ａを覆うことができる大きさであり、本実施形態においては八角形状に形成されている。なお、カバー部４ｂの他方の面には粘着剤が塗布された粘着層４ｃを有する。
【００２８】
次に押釦スイッチ１００の構造について図３および図４を用いて説明する。図４は、図１（ａ）に示す断面Ｉ−Ｉを表す断面図であり、図４（ａ）は押圧操作されていない初期状態の押釦スイッチ１００を示す断面図であり、図４（ｂ）は押圧操作中の状態の押釦スイッチ１００を示す断面図である。
【００２９】
可動接点部材１は、図３に示すように、膨出部１ａが突出している側の面の裏面側が、ハウジング２の収容部２ａの内部底面と向きあうように、収容部２ａの内部に収納される。このとき、可動接点部材１は、可動接点部材１の鍔部１ｂの一部が、第２固定接点部材部３ｂに接触して電気的に導通した状態で配置される。また、可動接点部材１は、可動接点部材１の長手辺が延出する方向とハウジング２の長手辺ＬＥが延出する方向とが略一致する向き（Ｘ１−Ｘ２方向）に配置されるとともに、ハウジング２の長手辺ＬＥの中央部に対応して膨出部１ａの頂点部が、ハウジング２の長手辺ＬＥ側の側方から見て一致する位置に配置されている。シート４は、図４（ａ）に示すように、ハウジング２の上面２ｂ（Ｚ１方向側の面）と粘着層４ｃとが対向し、可動接点部材１が収納された収容部２ａを覆うように、ハウジング２に重ねて配置され、粘着層４ｃにより保持される。なお、このとき、押し子４ａは、可動接点部材１の膨出部１ａの頂部に対応して配置されている。このようにして押釦スイッチ１００は構成されている。
【００３０】
次に押釦スイッチ１００の動作について図４を用いて説明する。
【００３１】
押釦スイッチ１００は、取り付けられた電子機器の押圧部材ＯＰにより押圧操作される前は、図４（ａ）に示すように、可動接点部材１の膨出部１ａは反転しておらず、第１固定接点部材部３ａと第２固定接点部材部３ｂとは、電気的に導通していない。図４（ａ）の状態から、押圧部材ＯＰの突起部ＬＢを押圧されることで、押圧部材ＯＰがシート４の押し子４ａをＺ２方向へ押圧操作すると、可動接点部材１は、図４（ｂ）に示すように、シート４を介して膨出部１ａが押圧される。押圧された膨出部１ａはＺ２方向へ撓んで反転動作し、膨出部１ａと第１固定接点部材部３ａとが接触する。膨出部１ａと第１固定接点部材部３ａとが接触することで、可動接点部材１を介して、第１固定接点部材部３ａと第２固定接点部材部３ｂとは電気的に導通する。また、図４（ｂ）の状態から、押圧部材ＯＰによる押圧を解除すると、可動接点部材１は、可動接点部材１が持つ復帰力により、図４（ａ）に示す状態に復帰し、第１固定接点部材部３ａと第２固定接点部材部３ｂとの電気的な導通はなくなる。このようにして、第１固定接点部材部３ａと第２固定接点部材部３ｂとの電気的な導通状態を切り換えることでスイッチとして機能する。
【００３２】
以下、本実施形態としたことによる効果について説明する。
【００３３】
本実施形態の押釦スイッチ１００では、ドーム状に形成された膨出部１ａを備える可動接点部材１と、可動接点部材１を収容する収容部２ａとともに、可動接点部材１と接触する固定接点部材３とを有するハウジング２と、ハウジング２の上面２ｂ側に貼り付けされるとともに、外部から押圧される押し子４ａを有するシート４とを有し、ハウジング２を上方から平面視したときに、ハウジング２の外形形状が略長方形状である押釦スイッチにおいて、ハウジング２の外形形状を形成する４つの辺の、対向して配置された２辺の組の少なくとも一方の組の延在する方向において、ハウジング２の上面２ｂの少なくとも一部は、その両端部のハウジング２の底面からハウジング２の上面２ｂまでの高さが、中央部の高さよりも低くなるように形成されている、構成とした。
【００３４】
これにより、仮に押圧部材ＯＰが傾いた状態で押圧されたとしても、少なくともハウジング２を平面視したときの短手辺ＳＥが配置された方向、またはハウジング２を平面視したときの長手辺ＬＥが配置された方向においては、押圧部材ＯＰが押釦スイッチ１００の押し子４ａ以外の箇所に接触し難くなる。特に押圧部材ＯＰの外周端部は、傾いたときの傾き量が中央部に比べて大きいため、押釦スイッチ１００に近づきやすい。辺の両端部でのハウジング２の底面からハウジング２の上面２ｂまでの高さが、辺の中央部よりも低くなるように形成することで、従来、押圧部材ＯＰの外周端部に一番近かった辺の両端部が、押圧部材ＯＰの外周端部から遠ざかり、押釦スイッチ１００に接触し難くなる。したがって、押圧部材ＯＰの突起部以外の箇所が押釦スイッチ１００に接触し難くなることで、押圧部材ＯＰを押し難い、押しても反応しないなどの操作性の悪化を防止し、確実に操作することができる押釦スイッチを提供することができる、という効果を奏する。
【００３５】
また、これにより、従来の構造と比較して、ハウジング２とシート４との貼付面積が大きくなるので、押釦スイッチ１００が小型化された場合でも、従来の構造に比べてシート４が剥がれ難くなる。
【００３６】
また、本実施形態の押釦スイッチ１００では、一方の辺の組である長手辺ＬＥは互いに同じ形状で同じ高さに形成されており、ハウジング２の上面２ｂに形成され、シート４が貼付される貼付面２ｃは、長手辺ＬＥ同士の間を繋ぐことにより形成される仮想面ＶＦと同一に形成されており、ハウジング２の上面２ｂの高さは、仮想面ＶＦ以下の高さに形成されている、構成とした。
【００３７】
また、これにより、短手方向に比べて、斜めになった押圧部材ＯＰの突起部ＬＢ以外の箇所がより接触しやすい長手方向においてのみ、長手辺ＬＥの両端部でのハウジング２の底面からハウジング２の上面２ｂまでの高さを、長手辺ＬＥの中央部よりも低くなるように形成した。斜めになった押圧部材ＯＰの外周端部は突起部ＬＢよりも低くなることもあるが、長手辺ＬＥの両端部でのハウジング２の底面からハウジング２の上面２ｂまでの高さを、長手辺ＬＥの中央部よりも低くなるように形成することで、長手方向に対応する押圧部材ＯＰの外周端部は、中央部よりも低くなった箇所に逃げることができ、ハウジング２に接触し難くなっている。また、シート４が貼付される貼付面２ｃを、長手辺ＬＥ同士の間を繋ぐことにより形成される仮想面ＶＦと同一面に形成するとともに、ハウジング２の上面２ｂの高さを仮想面ＶＦ以下の高さに形成することで、仮想面ＶＦより上に突出するものがないため、ハウジング２に接触し難くなっている。さらに、貼付面２ｃの凹凸が小さくなり、仮想面ＶＦより上に突出するものがないため、シート４の貼り付けが容易になる。したがって、従来よりも押圧部材ＯＰがハウジング２に接触し難く、シート４の貼付が容易な押釦スイッチを提供することができる、という効果を奏する。
【００３８】
また、本実施形態の押釦スイッチ１００では、長手辺ＬＥの形状は、曲率半径Ｒ０が一定の弧である、構成とした。
【００３９】
これにより、ハウジング２の貼付面２ｃを凹凸形状のない曲面に形成される。仮にハウジング２の貼付面２ｃに凹凸形状に形成された箇所があった場合、凹凸形状に形成された箇所においては、シート４とハウジング２の上面２ｂとが貼り付き難くなる。シート４をハウジング２の貼付面２ｃに沿って貼り付けるには、特別にシート４を押し付けながらシート４を貼り付けるなどする必要がある。ハウジング２の貼付面２ｃを凹形状のない曲面に形成することで、一つの平面で形成されている従来技術の基体９１０の上面に貼り付ける場合と同等に容易に行なえるとともに、シート４は、ハウジング２の貼付面２ｃ全体で、より確実に保持され、小型化した場合でもシート４が剥がれ難くなる、という効果を奏する。
【００４０】
また、これにより、凹凸形状のある曲面を加工する場合に比べて、ハウジング２の貼付面２ｃの加工が容易となり、形状のバラツキを少なくすることができるため、貼付面２ｃに凹凸がより発生し難く、シート４の剥がれがより発生し難くなる。
【００４１】
また、本実施形態の押釦スイッチ１００では、可動接点部材１は、上方から平面視したときに長細形状であり、可動接点部材１は、可動接点部材１の長手辺が延出する方向とハウジング２の長手辺ＬＥが延出する方向とが略一致する向きに配置されるとともに、ハウジング２の長手辺ＬＥの中央部に対応して膨出部１ａの頂点部がハウジング２の長手辺ＬＥ側の側方から見て一致する位置に配置されている、構成とした。
【００４２】
これにより、可動接点部材１を、可動接点部材１の長手辺が延出する方向とハウジング２の長手辺ＬＥが延出する方向とが略一致する向きに配置するとともに、可動接点部材１において一番高さの高い箇所である膨出部１ａの頂点部と、ハウジング２において一番高さの高い箇所である長手辺ＬＥの中央部の位置とを、ハウジング２の長手辺ＬＥ側の側方から見て一致する位置に配置するとともに、ハウジング２の上面２ｂの形状に沿うように可動接点部材１を収納することで、より高さのある可動接点部材１をハウジング２内に収納することが可能となり、押釦スイッチ１００を小型化した場合でも、操作ストロークを長くすることができる、という効果を奏する。
【００４３】
また、本実施形態の押釦スイッチ１００では、押し子４ａは可動接点部材１の膨出部１ａの頂部に対応する箇所に配置され、押し子４ａを介して可動接点部材１を押圧する構成とした。
【００４４】
これにより、可動接点部材１は、膨出部１ａの頂部を押圧されるため、頂部を押圧された場合に比べて反転動作がスムーズになるととともに、可動接点部材１が反転動作した事が操作感触として操作者へより明確に伝わりやすくなり、より操作性が良くなるという効果を奏する。
【００４５】
以上のように、本発明の実施形態に係る押釦スイッチ１００を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４６】
（１）本実施形態において、ハウジング２を平面視した時の長手辺ＬＥを、仮想曲線ＶＣに沿った形状に形成するとしたが、例えば、図５（ａ）や図５（ｂ）に示すような、複数の傾斜した直線を繋いだ形状でも良い。なお、図５はハウジング２の上面２ｂの形状の変形例を示す側面図であり、図５（ａ）は、ハウジング２の上面２ｂの形状の変形例を示す側面図であり、および図５（ｂ）は、図５（ａ）とは異なるハウジング２の上面２ｂの形状の変形例を示す側面図である。
【００４７】
（２）本実施形態において、ハウジング２の上面２ｂの外形形状を形成する４つの辺の、対向する２辺の組の少なくとも一方の組において、辺の両端部では、ハウジング２の底面からハウジング２の上面２ｂまでの高さは、辺の中央部よりも低くなるように形成されている構成とした。仮に、押釦スイッチ１００に、シート４の押し子４ａを除いた箇所を覆うように、金属板からなる保護ケースなどがある構成の場合には、ハウジング２の上面２ｂは従来技術と同様の同一平面で形成し、保護ケースで本実施形態と同様の形状を形成する構成としても良い。
【００４８】
（３）本実施形態において、押し子４ａは、シート４のカバー部４ｂと異なる材料で形成し、粘着層４ｃが形成された面の裏面側に接着剤などで固定する構成としたが、例えば、カバー部４ｂとは別体にした押し子４ａを、カバー部４ｂと可動接点部材１との間に配置し、挟持する構成などでも良い。
【００４９】
（４）本実施形態において、シート４が貼付される貼付面２ｃは、長手辺ＬＥ同士の間を繋ぐことにより形成される仮想面ＶＦと同一に形成される構成としているが、例えば図６に示すように、必要に応じてハウジング２を平面視したときの外形の外周に沿って、ハウジング２の底面に平行な平坦な面が形成された鍔部Ｇを設けるなどしてもよい。図６は、貼付面２ｂの変形例を示す図であり、図６（ａ）は、ハウジング２を平面視した平面図であり、図６（ｂ）は図６（ａ）に示すＸ２方向側から見たハウジング２を示す側面図であり、図６（ｃ）は図６（ａ）に示すＹ２方向側から見たハウジング２を示す側面図である。
【符号の説明】
【００５０】
１      可動接点部材部材
１ａ    膨出部
１ｂ    鍔部
２      ハウジング
２ａ    収容部
２ｂ    上面
２ｃ    貼付面
３      固定接点部材部材
３ａ    第１固定接点部材部
３ｂ    第２固定接点部材部
３ｃ    第１外部接続端子
３ｄ    第２外部接続端子
４      シート
４ａ    押し子
４ｂ    カバー部
４ｃ    粘着層
１００  押釦スイッチ
ＬＥ    長手辺
ＳＥ    短手辺
ＶＣ    仮想曲線
ＶＦ    仮想面
【図１】
2014013672.tif 000003
【図２】
2014013672.tif 000004
【図３】
2014013672.tif 000005
【図４】
2014013672.tif 000006
【図５】
2014013672.tif 000007
【図６】
2014013672.tif 000008
【図７】
2014013672.tif 000009
【図８】
2014013672.tif 000010
【図９】
2014013672.tif 000011